(57)【特許請求の範囲】
【請求項１】
（ａ）  ２組の長尺把持部材（１２・１２）を下地面（１１）に所要の距離をおいて固定し、その各組の長尺把持部材（１２・１２）に端縁（４５・４５）を係止して可撓性内装材（１３）を長尺把持部材間に張設する緞子張り内装工法において、
（ｂ）  その各１組の長尺把持部材（１２）を、下地面（１１）に当接して固定する基板（１４）と、その基板（１４）から立ち上がった支板（２７）と、その支板（２７）から基板（１４）とは逆向きに折れ曲がって続く縁板（２８）と、その支板（２７）と縁板（２８）によって構成されて逆Ｌ字状断面を成す突条畝（１６）に囲まれたスペースにおいて支板（２７）と縁板（２８）の交わる角部から離れる方向に端縁（４２・４３）が支板（２７）又は縁板（２８）から突き出た爪板（１８・１９）を、プラスチック押出成形によって一体成形して構成すること、
（ｃ）  上記基板（１４）を下地面（１１）に当接して固定し、その基板（１４）から隆起して下地面（１１）から突き出る突条畝（１６）を、その下地面（１１）に交わる他の下地面（４０）、又は、その下地面（１１）から突設した他の部材（４０）に向かい合わせにすること、
（ｄ）  その向かい合う突条畝（１６）の縁板（２８）および爪板（１８・１９）とその他の下地面又は他の部材（４０）との間の隙間が構成する差込溝（１７）と内溝（２１）に内装材（１３）の端縁（４５）を押し込んで係止することを特徴とする緞子張り内装工法。
【請求項２】
（ｅ）  下地面（１１）に当接して固定する上記長尺把持部材（１２）の突条畝（１６）の向かい合わせになる上記他の部材（４０）を、その上記他の部材（４０）が向かい合わせになる上記長尺把持部材（１２）と同一の長尺把持部材とし、
（ｆ）  それら向かい合わせになる長尺把持部材（１２・１２）の突条畝（１６・１６）を向かい合わせにし、それらの向かい合わせになる２本の長尺把持部材（１２・１２）の基板（１４・１４）を下地面（１１）に当接して固定し、
（ｇ）  その向かい合う突条畝（１６・１６）の縁板（２８）と縁板（２８）の間の隙間を差込溝（１７）とし、その向かい合う突条畝（１６・１６）の爪板（１８・１９）と爪板（１８・１９）の間の隙間を内溝（２１）とし、その向かい合う突条畝（１６・１６）の間の差込溝（１７）と内溝（２１）に内装材（１３）の端縁（４５）を押し込んで係止することを特徴とする前掲請求項１に記載の緞子張り内装工法。
【請求項３】
（ｉ）  差込溝（１７）と内溝（２１）に、内装材（１３）の端縁（４５）を押し込んだ後、その差込溝（１７）と内溝（２１）に楔（３９）を押し込むことを特徴とする前掲請求項１と請求項２の何れかに記載の緞子張り内装工法。
【請求項４】
（ｊ）  上記楔（３９）を、差込溝（１７）と内溝（２１）に押し込む前に、２枚の押返板（３８）と押返板（３８）が向き合って溝（４１）を形成したＵ乃至Ｖ字形断面形状に構成することを特徴とする前掲請求項３に記載の緞子張り内装工法。
【請求項５】
（ａ）  ２組の長尺把持部材（１２・１２）を下地面（１１）に所要の距離をおいて固定し、その各組の長尺把持部材（１２・１２）に端縁（４５・４５）を係止して可撓性内装材（１３）を長尺把持部材間に張設する緞子張り内装工法において、
（ｋ）  内装材（１３）を張設する２組の中の一方又は双方長尺把持部材を、
（ｚ−１）  下地面（１１）に当接して固定する基板（１４）と、その当接する下地面（１１）から突き出る方向に基板（１４）から突出して平行に向き合って基板（１４）の長さ方向に続く支板（２７）と止め板（２９）と、その止め板（２９）に向けて基板（１４）に平行に支板（２７）の上端から突き出た縁板（２８）を具備し、それらの縁板（２８）と支板（２７）が基板（１４）から隆起した逆Ｌ字形の突条畝（１６）を形成しており、それらの縁板（２８）と支板（２７）と止め板（２９）と基板（１４）が、突条畝（１６）の内側となる位置に、支板（２７）と止め板（２９）に挟まれ、且つ、縁板（２８）と基板（１４）の支板（２７）と止め板（２９）の間の部分に挟まれて基板（１４）の長さ方向に続く内部空洞（１５）を形成しており、
（ｚ−２）  縁板（２８）と止め板（２９）の間に挟まれ、突条畝（１６）の基板（１４）から隆起する高さ方向において内部空洞（１５）に通じる差込溝（１７）が、基板（１４）の長さ方向に沿って突条畝（１６）の外面側に形成され、
（ｚ−３）  縁板（２８）と支板（２７）が構成する突条畝（１６）の内部空洞（１５）に面した内壁面において、その空洞の内壁面の支板（２７）と縁板（２８）の交わる角部から離れる方向に端縁（４２・４３）の突出方向を向けて、支板（２７）又は縁板（２８）から爪板（１８・１９）が突出しており、
（ｚ−４）  その爪板（１８・１９）の上記端縁（４２・４３）と上記空洞内部に面した止め板（２９）の内壁面（２０）との間に、上記基板（１４）の長さ方向に沿って差込溝（１７）に平行に続く内溝（２１）が形成され、
（ｚ−５）  それらの基板（１４）と突条畝（１６）と爪板（１８・１９）と止め板（２９）が一体になった長尺部材として、プラスチック押出成形による一体成形によって形成し、
（ｌ）  内装材（１３）の端縁（４５）を上記差込溝（１７）と上記内溝（２１）に押し込んで係止することを特徴とする緞子張り内装工法。
【請求項６】
（ｍ）  平坦な下地面と彎曲した下地面が交わる箇所において、上記長尺把持部材を横断する方向に向けて側縁から切り込まれた切り込み（２２）を、その長尺把持部材（１２）の長さ方向に所要の間隔をもって基板（１４）に設け、突条畝（１６）を彎曲した下地面に向けて平坦な下地面に基板（１４）の当接し、彎曲した下地面（１１）の弯曲面に合わせて差込溝（１７）と内溝（２１）を弯曲させることを特徴とする前掲請求項１と請求項５の何れかに記載の緞子張り内装工法。
【請求項７】
（ｎ）  平坦な下地面と彎曲した下地面が交わる箇所において、上記長尺把持部材を横断する方向に向けて上記突条畝（１６）を切り込んだ切り込み（２３）を、その突条畝（１６）に長尺把持部材（１２）の長さ方向に所要の間隔をもって設け、突条畝（１６）を平坦な下地面に向けて彎曲した下地面に基板（１４）の当接し、彎曲した下地面（１１）の弯曲面に合わせて上記差込溝（１７）と内溝（２１）を弯曲させることを特徴とする前掲請求項１と請求項５の何れかに記載の緞子張り内装工法。
【請求項８】
（ｏ）  ２枚の内装材（１３・１３）を隣合わせに配置し、それら２枚の内装材（１３・１３）の隣合う端縁（４５）と端縁（４５）を同じ差込溝（１７）と内溝（２１）に押し込んで係止し、その押し込んだ差込溝（１７）と内溝（２１）において、それら２枚の内装材（１３・１３）の隣合う端縁（４５）と端縁（４５）を触れ合わせることを特徴とする前掲請求項５に記載の緞子張り内装工法。
【請求項９】
（ａ）  ２組の長尺把持部材（１２・１２）を下地面（１１）に所要の距離をおいて固定し、その各組の長尺把持部材（１２・１２）に端縁（４５・４５）を係止して可撓性内装材（１３）を長尺把持部材間に張設する緞子張り内装工法において、
（ｋ）  内装材（１３）を張設する２組の中の一方又は双方長尺把持部材を、
（ｚ−１）  下地面（１１）に当接して固定する基板（１４）と、その当接する下地面（１１）から突き出る方向に基板（１４）から突出して平行に向き合って基板（１４）の長さ方向に続く支板（２７）と止め板（２９）と、その止め板（２９）に向けて基板（１４）に平行に支板（２７）の上端から突き出た縁板（２８）を具備し、それらの縁板（２８）と支板（２７）が基板（１４）から隆起した逆Ｌ字形の突条畝（１６）を形成しており、それらの縁板（２８）と支板（２７）と止め板（２９）と基板（１４）が、突条畝（１６）の内側となる位置に、支板（２７）と止め板（２９）に挟まれ、且つ、縁板（２８）と基板（１４）の支板（２７）と止め板（２９）の間の部分に挟まれて基板（１４）の長さ方向に続く内部空洞（１５）を形成しており、
（ｚ−２）  縁板（２８）と止め板（２９）の間に挟まれ、突条畝（１６）の基板（１４）から隆起する高さ方向において内部空洞（１５）に通じる差込溝（１７）が、基板（１４）の長さ方向に沿って突条畝（１６）の外面側に形成され、
（ｚ−３）  縁板（２８）と支板（２７）が構成する突条畝（１６）の内部空洞（１５）に面した内壁面において、その空洞の内壁面の支板（２７）と縁板（２８）の交わる角部から離れる方向に端縁（４２・４３）の突出方向を向けて、支板（２７）又は縁板（２８）から爪板（１８・１９）が突出しており、
（ｚ−４）  その爪板（１８・１９）の上記端縁（４２・４３）と上記空洞内部に面した止め板（２９）の内壁面（２０）との間に、上記基板（１４）の長さ方向に沿って差込溝（１７）に平行に続く内溝（２１）が形成され、
（ｚ−６）  止め板（２９）を境として突条畝（１６）の反対側となる止め板（２９）の外側に、止め板（２９）と平行に溝板（２４）を基板（１４）に突設して、その溝板（２４）と止め板（２９）に挟まれて上記差込溝（１７）に平行に基板（１４）の長さ方向に沿って続く目地溝（２５）が形成されている、
（ｚ−７）  それらの基板（１４）と突条畝（１６）と爪板（１８・１９）と止め板（２９）と溝板（２４）が一体になった長尺部材として、プラスチック押出成形による一体成形によって形成し、
（ｐ）  長尺把持部材（１２）の目地溝（２５）を覆うことなく、端縁（４５）を上記差込溝（１７）と上記内溝（２１）に押し込んで係止して内装材（１３）を２組の長尺把持部材（１２・１２）の間に張設してから、その目地溝（２５）に目地材（２６）を嵌め合わせることを特徴とする緞子張り内装工法。
【請求項１０】
（ａ）  ２組の長尺把持部材（１２・１２）を下地面（１１）に所要の距離をおいて固定し、その各組の長尺把持部材（１２・１２）に端縁（４５・４５）を係止して可撓性内装材（１３）を長尺把持部材間に張設する緞子張り内装工法において、
（ｗ）  内装材（１３）を張設する２組の中の一方又は双方長尺把持部材を、平板な矩形の長尺基板（１４）を、その側縁に沿って折り返して上側基板（３１）と下側基板（３２）が重なった横Ｕ字形断面形状の二重構造にし、その下側基板（３２）との折り目から離れる方向に位置する上側基板（３１）の先端部分を折り曲げて立ち上げた支板（２７）と、その上側基板（３１）と下側基板（３２）との折り目とは逆方向に支板（２７）から折れ曲がって続く縁板（２８）と、上記上側基板（３１）との折り目から離れる方向に位置する下側基板（３２）の先端部分を上記支板（２７）と同じ方向に折り曲げて支板（２７）に平行に立ち上がった止め板（２９）によって矩形断面形状の突条畝（１６）を形成し、上側基板（３１）の先端部分が構成する縁板（２８）の端縁と下側基板（３２）の先端部分が構成する止め板（２９）の端縁との間の隙間が差込溝（１７）を構成し、平行に向かい合う支板（２７）と止め板（２９）の間に内部空洞（１５）が構成され、その内部空洞（１５）に、上記支板（２７）と縁板（２８）の交わる折曲角部から離れる方向に上記支板（２７）又は縁板（２８）から突き出る爪板（１８・１９）を上記内部空洞内（１５）に突出させ、その爪板（１８・１９）と上記止め板（２９）の間の隙間を内溝（２１）として形成し、差込溝（１７）と内溝（２１）に内装材（１３）の端縁（４５）を押し込んで係止することを特徴とする緞子張り内装工法。
【発明の詳細な説明】
【０００１】
【発明の属する技術分野】
本発明は、建物の内壁、天井面、間仕切り、扉、襖、その他の建具等の下地面に、織物、編物、不織布、人工皮革、合成皮革、紙、プラスチックフィルム等の可撓性内装材を接着剤を使用せずに張設する緞子張り内装工法に関するものである。
【０００２】
【従来の技術】
緞子張り内装工法としては、壁や天井の下地面を内装布帛で被覆装飾して仕上げる宮殿張りとか布団張りとか称された工法が知られている、又、内装布帛の周縁を装飾する工法としては、釘打ちパイピン化粧工法が知られている。
【０００３】
【発明が解決しようとする課題】
しかしながら、従来工法では、施工下地面の周囲に上張りを留め付ける木枠を固定し、その木枠にステープル等で上張りを固定し、更に、化粧仕上げのために、上下左右の内装布帛を留め付けた部分にパイピンを廻して打ち付け、或いは、押縁を打ち付けることとしている。そのような従来工法は、建物の内壁や天井等の不動の下地面には施工可能でも、扉や襖等の可動する下地面に応用出来ない。そして、従来工法では、施工の造形意匠も下地の造りにより決まってしまうので、自由自在に設計し難い。
【０００４】
【発明の目的】
本発明は、そのような点に着目し鋭意工夫して完成されたものであり、下地面が可動であるか不動であるかに拘らず、接着剤を使用せずに緞子張り内装を可能とする部材と、内装布帛を張設した施工面を仕上げる装飾部材を使用し、建物の内壁、天井面、間仕切り、扉、襖等に造形意匠を施して美しく仕上げることが出来るようにすることを目的とする。
【０００５】
【課題を解決するための手段】
本発明に係る緞子張り内装工法は、（ａ）  ２組の長尺把持部材１２・１２を下地面１１に所要の距離をおいて固定し、その各組の長尺把持部材１２・１２に端縁４５・４５を係止して可撓性内装材１３を長尺把持部材間に張設する緞子張り内装工法において、
（ｂ）  その各１組の長尺把持部材１２を、下地面１１に当接して固定する基板１４と、その基板１４から立ち上がった支板２７と、その支板２７から基板１４とは逆向きに折れ曲がって続く縁板２８と、その支板２７と縁板２８によって構成されて逆Ｌ字状断面を成す突条畝１６に囲まれたスペースにおいて支板２７と縁板２８の交わる角部から離れる方向に端縁４２・４３が支板２７又は縁板２８から突き出た爪板１８・１９を、プラスチック押出成形によって一体成形して構成すること、
（ｃ）  上記基板１４を下地面１１に当接して固定し、その基板１４から隆起して下地面１１から突き出る突条畝１６を、その下地面１１に交わる他の下地面４０、又は、その下地面１１から突設した他の部材４０に向かい合わせにすること、
（ｄ）  その向かい合う突条畝１６の縁板２８および爪板１８・１９とその他の下地面又は他の部材４０との間の隙間が構成する差込溝１７と内溝２１に内装材１３の端縁４５を押し込んで係止することを第１の特徴とする。
【０００６】
本発明に係る緞子張り内装工法の第２の特徴は、上記第１の特徴に加えて、（ｅ）  下地面１１に当接して固定する上記長尺把持部材１２の突条畝１６の向かい合わせになる上記他の部材４０を、その上記他の部材４０が向かい合わせになる上記長尺把持部材１２と同一の長尺把持部材とし、
（ｆ）  それら向かい合わせになる長尺把持部材１２・１２の突条畝１６・１６を向かい合わせにし、それらの向かい合わせになる２本の長尺把持部材１２・１２の基板１４・１４を下地面１１に当接して固定し、
（ｇ）  その向かい合う突条畝１６・１６の縁板２８と縁板２８の間の隙間を差込溝１７とし、その向かい合う突条畝１６・１６の爪板１８・１９と爪板１８・１９の間の隙間を内溝２１とし、その向かい合う突条畝１６・１６の間の差込溝１７と内溝２１に内装材１３の端縁４５を押し込んで係止する点にある。
【０００８】
本発明に係る緞子張り内装工法の第３の特徴は、上記第１と第２の何れかの特徴に加えて、（ｉ）  差込溝１７と内溝２１に、内装材１３の端縁４５を押し込んだ後、その差込溝１７と内溝２１に楔３９を押し込む点にある。
【０００９】
本発明に係る緞子張り内装工法の第４の特徴は、上記第３の特徴に加えて、（ｊ）  上記楔３９を、差込溝１７と内溝２１に押し込む前に、２枚の押返板３８と押返板３８が向き合って溝４１を形成したＵ乃至Ｖ字形断面形状に構成する点にある。
【００１０】
本発明に係る緞子張り内装工法の第５の特徴は、（ａ）  ２組の長尺把持部材１２・１２を下地面１１に所要の距離をおいて固定し、その各組の長尺把持部材１２・１２に端縁４５・４５を係止して可撓性内装材１３を長尺把持部材間に張設する緞子張り内装工法において、
（ｋ）  内装材１３を張設する２組の中の一方又は双方長尺把持部材を、
（ｚ−１）  下地面１１に当接して固定する基板１４と、その当接する下地面１１から突き出る方向に基板１４から突出して平行に向き合って基板１４の長さ方向に続く支板２７と止め板２９と、その止め板２９に向けて基板１４に平行に支板２７の上端から突き出た縁板２８を具備し、それらの縁板２８と支板２７が基板１４から隆起した逆Ｌ字形の突条畝１６を形成しており、それらの縁板２８と支板２７と止め板２９と基板１４が、突条畝１６の内側となる位置に、支板２７と止め板２９に挟まれ、且つ、縁板２８と基板１４の支板２７と止め板２９の間の部分に挟まれて基板１４の長さ方向に続く内部空洞１５を形成しており、
（ｚ−２）  縁板２８と止め板２９の間に挟まれ、突条畝１６の基板１４から隆起する高さ方向において内部空洞１５に通じる差込溝１７が、基板１４の長さ方向に沿って突条畝（１６）の外面側に形成され、
（ｚ−３）  縁板２８と支板２７が構成する突条畝１６の内部空洞１５に面した内壁面において、その空洞の内壁面の支板２７と縁板２８の交わる角部から離れる方向に端縁４２・４３の突出方向を向けて、支板２７又は縁板２８から爪板１８・１９が突出しており、
（ｚ−４）  その爪板１８・１９の上記端縁４２・４３と上記空洞内部に面した止め板２９の内壁面２０との間に、上記基板１４の長さ方向に沿って差込溝１７に平行に続く内溝２１が形成され、
（ｚ−５）  それらの基板１４と突条畝１６と爪板１８・１９と止め板２９が一体になった長尺部材として、プラスチック押出成形による一体成形によって形成し、
（ｌ）  内装材１３の端縁４５を上記差込溝１７と上記内溝２１に押し込んで係止する点にある。
【００１１】
本発明に係る緞子張り内装工法の第６の特徴は、上記第１と第５の特徴に加えて、（ｍ）  平坦な下地面と彎曲した下地面が交わる箇所において、上記長尺把持部材を横断する方向に向けて側縁から切り込まれた切り込み２２を、その長尺把持部材１２の長さ方向に所要の間隔をもって基板１４に設け、突条畝１６を彎曲した下地面に向けて平坦な下地面に基板１４の当接し、彎曲した下地面１１の弯曲面に合わせて差込溝１７と内溝２１を弯曲させる点にある。
【００１２】
本発明に係る緞子張り内装工法の第７の特徴は、上記第１と第５の特徴に加えて、（ｎ）  平坦な下地面と彎曲した下地面が交わる箇所において、上記長尺把持部材を横断する方向に向けて上記突条畝１６を切り込んだ切り込み２３を、その突条畝１６に長尺把持部材１２の長さ方向に所要の間隔をもって設け、突条畝１６を平坦な下地面に向けて彎曲した下地面に基板１４の当接し、彎曲した下地面１１の弯曲面に合わせて上記差込溝１７と内溝２１を弯曲させる点にある。
【００１３】
本発明に係る緞子張り内装工法の第８の特徴は、上記第５の特徴に加えて、（ｏ）  ２枚の内装材１３・１３を隣合わせに配置し、それら２枚の内装材１３・１３の隣合う端縁４５と端縁４５を同じ差込溝１７と内溝２１に押し込んで係止し、その押し込んだ差込溝１７と内溝２１において、それら２枚の内装材１３・１３の隣合う端縁４５と端縁４５を触れ合わせる点にある。
【００１４】
本発明に係る緞子張り内装工法の第９の特徴は、（ａ）  ２組の長尺把持部材１２・１２を下地面１１に所要の距離をおいて固定し、その各組の長尺把持部材１２・１２に端縁４５・４５を係止して可撓性内装材１３を長尺把持部材間に張設する緞子張り内装工法において、
（ｋ）  内装材１３を張設する２組の中の一方又は双方長尺把持部材を、
（ｚ−１）  下地面１１に当接して固定する基板１４と、その当接する下地面１１から突き出る方向に基板１４から突出して平行に向き合って基板１４の長さ方向に続く支板２７と止め板２９と、その止め板２９に向けて基板１４に平行に支板２７の上端から突き出た縁板２８を具備し、それらの縁板２８と支板２７が基板１４から隆起した逆Ｌ字形の突条畝１６を形成しており、それらの縁板２８と支板２７と止め板２９と基板１４が、突条畝１６の内側となる位置に、支板２７と止め板２９に挟まれ、且つ、縁板２８と基板１４の支板２７と止め板２９の間の部分に挟まれて基板１４の長さ方向に続く内部空洞１５を形成しており、
（ｚ−２）  縁板２８と止め板２９の間に挟まれ、突条畝１６の基板１４から隆起する高さ方向において内部空洞１５に通じる差込溝１７が、基板１４の長さ方向に沿って突条畝（１６）の外面側に形成され、
（ｚ−３）  縁板２８と支板２７が構成する突条畝１６の内部空洞１５に面した内壁面において、その空洞の内壁面の支板２７と縁板２８の交わる角部から離れる方向に端縁４２・４３の突出方向を向けて、支板２７又は縁板２８から爪板１８・１９が突出しており、
（ｚ−４）  その爪板１８・１９の上記端縁４２・４３と上記空洞内部に面した止め板２９の内壁面２０との間に、上記基板１４の長さ方向に沿って差込溝１７に平行に続く内溝２１が形成され、
（ｚ−６）  止め板２９を境として突条畝１６の反対側となる止め板２９の外側に、止め板２９と平行に溝板２４を基板１４に突設して、その溝板２４と止め板２９に挟まれて上記差込溝１７に平行に基板１４の長さ方向に沿って続く目地溝２５が形成されている、
（ｚ−７）  それらの基板１４と突条畝１６と爪板１８・１９と止め板２９と溝板２４が一体になった長尺部材として、プラスチック押出成形による一体成形によって形成し、
（ｐ）  長尺把持部材１２の目地溝２５を覆うことなく、端縁４５を上記差込溝１７と上記内溝２１に押し込んで係止して内装材１３を２組の長尺把持部材１２・１２の間に張設してから、その目地溝２５に目地材２６を嵌め合わせる点にある。
【００１９】
本発明に係る緞子張り内装工法の第１０の特徴は、（ａ）  ２組の長尺把持部材１２・１２を下地面１１に所要の距離をおいて固定し、その各組の長尺把持部材１２・１２に端縁４５・４５を係止して可撓性内装材１３を長尺把持部材間に張設する緞子張り内装工法において、
（ｗ）  内装材１３を張設する２組の中の一方又は双方長尺把持部材を、平板な矩形の長尺基板１４を、その側縁に沿って折り返して上側基板３１と下側基板３２が重なった横Ｕ字形断面形状の二重構造にし、その下側基板３２との折り目から離れる方向に位置する上側基板３１の先端部分を折り曲げて立ち上げた支板２７と、その上側基板３１と下側基板３２との折り目とは逆方向に支板２７から折れ曲がって続く縁板２８と、上記上側基板３１との折り目から離れる方向に位置する下側基板３２の先端部分を上記支板２７と同じ方向に折り曲げて支板２７に平行に立ち上がった止め板２９によって矩形断面形状の突条畝１６を形成し、上側基板３１の先端部分が構成する縁板２８の端縁と下側基板３２の先端部分が構成する止め板２９の端縁との間の隙間が差込溝１７を構成し、平行に向かい合う支板２７と止め板２９の間に内部空洞１５が構成され、その内部空洞１５に、上記支板２７と縁板２８の交わる折曲角部から離れる方向に上記支板２７又は縁板２８から突き出る爪板１８・１９を上記内部空洞内１５に突出させ、その爪板１８・１９と上記止め板２９の間の隙間を内溝２１として形成し、差込溝１７と内溝２１に内装材１３の端縁４５を押し込んで係止する点にある。
【００２０】
【発明の実施の形態】
図１は、緞子張り内装施工例を図示するものである。把持部材１２は、下地面１１に当接して固定する基板１４と、その基板１４から立ち上がった支板２７と、その支板２７から基板１４とは逆向きに折れ曲がって続く縁板２８と、支板２７と縁板２８によって構成されて逆Ｌ字状断面を成す突条畝１６に囲まれたスペースにおいて支板２７と縁板２８の交わる角部から端縁４２・４３が離れる方向に支板２７又は縁板２８から突き出た二重の爪板１８と爪板１９によって構成されている。把持部材１２は、プラスチック押出成形によって形成され、基板１４と支板２７と縁板２８と爪板１８と爪板１９は、一体になって把持部材１２を構成している。
【００２１】
把持部材１２は、平坦な下地面では突合部材４０に突条畝１６を突き合わせ、基板１４を下地面１１に当接して釘打ち固定される。把持部材１２と突合部材４０は、その何れを先に下地面１１に固定してもよい。下地面１１と下地面１１が交わる入隅では、その交わる一方の下地面１１（４０）に突条畝１６を突き合わせ、基板１４を他方の下地面１１に釘打ち固定する。図示するように、把持部材１２は、別の把持部材１２を突合部材４０とし、その別の把持部材１２に突き合わせて使用することも出来る。下地面１１には填料３３を部分的に軽く固定し、２組の長尺把持部材１２・１２の間に出来る平板な凹部の底上げをし、２組の長尺把持部材１２と長尺把持部材１２のレベルを揃える。内装材１３は、突き合わせた突合部材４０（１２）や下地面１１（４０）と縁板２８の間の差込溝１７、および、突合部材４０（１２）や下地面１１（４０）と爪板１８・１９の間の内溝２１に端縁４５を押し込んで係止し、把持部材１２と把持部材１２の間に張設する。
【００２２】
通路の壁面、建具や家具の表面など、日常手や体が触れ易い箇所に施工する場合、張設した内装材１３の端縁を確り固定するため、縁板２８の端縁４４の下に隠れる程度に奥深く長尺楔３９を差込溝１７と内溝２１に押し込み、縁板２８および爪板１８・１９と楔３９の間で内装材１３の端縁４５を把持する。長尺楔３９は、２枚の押返板３８と押返板３８が向かい合って溝４１を形成したＵ乃至Ｖ字形断面形状にするとよい。そうすると、突条畝１６のスペースに押し込まれた楔３９の押返板３８が、縁板２８の端縁４４の裏面に係合し、容易には差込溝１７から抜け出さず、内装材１３の端縁４５が確り把持される。又、内装材１３の端縁の抜け外れを防ぐには、長尺楔３９に代えて、図７に図示するように、化粧目地材２６を使用し、その裏面に突出している楔４６を差込溝１７と内溝２１に押し込み、内装材１３と内装材１３の継目を化粧目地材２６で被覆してもよい。弯曲した下地面には、横断方向に切り込み２３を突条畝１６に付けた把持部材１２を使用する（図２）。出隅や入隅において弯曲した下地面に交る下地面には、横断方向に切り込み２２ａ・２２ｂを基板１４と縁板２８に付けた把持部材１２を使用する（図３と図４）。
【００２３】
図５と図８〜図１７は、他のタイプの把持部材を例示するものであり、図６と図７は、その把持部材を使用した緞子張り内装施工例を図示するものである。これらの図において、突条畝１６が短形断面をなすものとして図示しているが、突条畝１６は、短形断面を成すものに限定されない。突条畝１６は、基板１４からＬ字形に突き出て把持部材の長さ方向に平行に続く支板２７と止め板２９、および、支板２７の突出端から止め板２９に向けてＬ字形に突き出た縁板２８とによって形成されており、その内部は、短形断面の空洞１５になっている。縁板２８と止め板２９の間は、内装材の端縁４５を空洞内へと押し込む差込溝１７になっている。空洞内には、縁板２８または支板２７から止め板２９と差込溝１７の底部に向けて傾斜した第１爪板１８と第２爪板１９との２条の爪板が突き出ている。それら２条の爪板１８・１９の端縁４２・４３と止め板２９の間は内溝２１になっており、差込溝１７と内溝２１を通して内装材の端縁４５を空洞内に押し込むことが出来る。基板１４は、側縁に沿って折り返されて二重になっており、支板２７は上側基板３１からＬ字形に突出し、止め板２９は下側基板３２からＬ字形に突出している。
【００２４】
基板１４、支板２７、縁板２８、止め板２９等の把持部材を構成する各部の厚みｔは、１．０ｍｍ以下に、概して０．３〜０．７ｍｍにし、突条畝１６の高さｈと幅ｗは、それぞれ１０ｍｍ以下に、概して４〜７ｍｍにするとよい。第１爪板１８の幅は、突条畝１６の幅ｗよりも狭く、概して５ｍｍ以下にし、第２爪板１９の幅は、第１爪板１８の幅よりも更に狭く、概して３ｍｍ以下にする。このように各部を薄くし、基板１４を上側基板３１と下側基板３２との折返可能な二重構造し、把持部材全体をプラスチックによって押出成形すると、上側基板１８と下側基板１９を折り返して重ね合わせるとき、縁板２８と第１爪板１８および第２爪板１９が止め板２９に擦れ合って密着し、内装材の端縁４５を差込溝１７と内溝２１に押し込むだけで強く把持することが出来る。そのためには、爪板１８・１９の付け根、即ち、縁板２８または支板２７に続く部分に柔軟なプラスチックを使用し、或いは、その付け根部分を端縁側（４２・４３）よりも薄くし、横断面において付け根部分を中心に蝶番状に爪板１８・１９が揺動し得るようにするとよい。そのようにすると、内装材の端縁４５を押し込むときは内溝２１が押し広げられて内装材の端縁４５が押し込み易く、その押し込んだ内装材の端縁４５を引き抜こうとするときは内溝２１が狭まって内装材の端縁４５が引き抜き難く強く把持される。
【００２５】
このように、本発明によると、２枚の内装材を突き合わせて施工するとき、それらの隣合う端縁４５と端縁４５を同じ差込溝１７と内溝２１に押し込んでも確り係止することが出来、隙間なく突き合わせて施工することが可能になる。又、そのように各部を薄くし、基板１４を折返可能な二重構造し、把持部材全体をプラスチックによって押出成形すると、内装材を確り係止することが出来るので、突条畝１６を殊更高くし、差込溝１７や内溝２１を殊更深くして、内装材の端縁４５を空洞１５へと殊更に奥深く押し込む必要がなく、慣用される化粧合板の厚みと同じ程度に突条畝１６の高さｈを４〜７ｍｍにすることが出来る。
【００２６】
そのように慣用される化粧合板と同じ程度に突条畝１６を比較的低くすると、その把持部材間１２・１２に張設した内装材１３と下地面１１の間の空隙層３０の厚みＨも、その突条畝の高さｈに応じた寸法の４〜７ｍｍになる。そして、そのように空隙層３０が薄くなると、張設された内装材１３を下地面側１１へと押圧しても、然程の窪みは感じられず、その押圧して生じる窪みによって内装材の美観が損なわれることなく、却って、その僅かな窪み具合いによって、暖かみのある弾力性や柔軟な脹らみが感じられるようになり、内装材の美観が高められ、又、その押圧によって窪んだ分だけ内装材１３に伸縮応力が発生するとしても、押圧して生じる窪みが浅いので格別強い伸縮応力が発生することはなく、その伸縮応力によって内装材の端縁４５が差込溝１７や内溝２１から引き抜かれることはなく、内装材１３は緊張状態に保たれる。
【００２７】
施工された内装材１３から暖かみのある弾力性や柔軟な脹らみが感じられるようにするには、空隙層３０に繊維ウエブ（綿状不織布）や発泡シート等の嵩密度が０．１ｇ／ｃｍ3 以下となる嵩高な填料３３を空隙層３０に装填するとよい。填料３３は、把持部材間に現れる下地面１１に部分的に軽く固定すればよく、その上から内装材１３を張設して填料３３を被覆する。そうすることによって、内装材に被覆された施工面に吸音性や保湿・通気性、クッション性等の機能性を付与することが出来る。填料３３に芳香剤、消臭剤、抗菌剤、防炎剤等の機能性物質を担持させるときは、その機能性が遺憾なく発揮され、機能的に優れた施工面に仕上げることが出来る。しかし、填料３３の第１の使用目的は、把持部材１２と把持部材１２のレベルを揃え、張設された内装材の表面を平坦に維持することにある。従って、填料３３には、合板や段ボール板、厚紙、発泡スチロール板などの硬めの板状材料も使用することが出来る。その硬めの填料３３を使用すると、内装材１３は填料３３に密着状態になり、その施工面は、接着剤を用いて接着施工された従来の壁紙のように仕上がる。
【００２８】
基板１４、支板２７、縁板２８、止め板２９等の把持部材の各部を薄くし、基板１４を折返可能な二重構造し、突条畝１６の高さｈが４〜７ｍｍになるように全体をプラスチックによって押出成形するときは、把持部材が可撓になり、突条畝１６の側縁から切り込まれた切り込み２２を把持部材１２の長さ方向に所要の間隔をもって基板１４に設け、下地面１１の弯曲面に合わせて差込溝１７と内溝２１を弯曲させて把持部材１２を取り付けることが出来、又、切り込んだ切り込み２３を把持部材１２の長さ方向に所要の間隔をもって突条畝１６に設け、差込溝１７と内溝２１を弯曲させて、下地面１１の弯曲面に合わせて把持部材１２を取り付けることも出来る。
【００２９】
把持部材１２は、基板１４を折返可能な二重構造にし、その上側基板３１の端縁に支板２７と縁板２８を突設し、下側基板３２には止め板２９を突設し、上側基板３１と下側基板３２の折り返しによって差込溝１７と内溝２１を拡縮（開閉）可能にし、基板その他の各部を厚みｔが１．０ｍｍ以下になる薄板状にし、突条畝の高さｈを４〜７ｍｍとして、プラスチック押出成形によって把持部材を形成するとよい。そのようにプラスチック押出成形によって形成された把持部材１２では、上側基板３１と下側基板３２を畳み合わせ、縁板２８の端縁４４や爪板１８・１９の端縁４２・４３を止め板２９と閉じ合わせて、差込溝１７と内溝２１を密封状態にすることが出来、その密封状態の差込溝１７と内溝２１に無理に内装材の端縁４５を押し込むときは、把持部材１２を構成しているプラスチックの弾性によって内装材の端縁４５が強く把持される。
【００３０】
内装材１３には、織物、編物、不織布、人工皮革、合成皮革等の布帛類、紙、プラスチック、フィルム、および、これらを積層した積層シートが使用される。図６は、本発明による内装材の施工例を図示し、把持部材１２は、その基板１４を下地面１１に当接して釘打ち固定され、把持部材１２と把持部材１２の間の下地面１１には繊維ウエブ３３が部分的に固定されている。突き合わせて施工される内装材の隣合う端縁は、二重にして同じ把持部材の差込溝１７と内溝２１に押し込まれている。その突き合わせ施工箇所では、突条畝１６に平行にスペーサー３４を下地面１１に固定し、突条畝１６に重ならない一方の内装材をスペーサー３４で突き上げて他方の内装材に面一に揃える。弯曲した下地面では、横断方向に切り込み２３を突条畝１６に付けた把持部材１２（図８と図９）を使用する。出隅や入隅において弯曲した下地面に交る下地面には、横断方向に切り込み２２を基板１４に付けた把持部材１２（図１０と図１１）を使用する。スペーサー３４には、前記の如く他の把持部材１２を使用することが出来る。
【００３１】
張設した内装材１３の端縁を確り固定するためには、図７に図示するように、長尺楔３９を奥深く差込溝１７と内溝２１に長尺楔３９の裏面に突き出た雄鉤状断面の楔４６を押し込み、縁板２８および爪板１８・１９と楔３９の間で内装材１３の端縁４５を把持するとよい。突き合わせて施工する内装材と内装材の間には、化粧目地を取り付け、それによって継目を被覆・化粧することが出来る。図７は、化粧目地材２６を使用した施工面を図示し、突条畝１６に平行に溝板２４を基板１４に突設して突条畝１６と溝板２４に挟まれて差込溝１７に平行に続く目地溝２５を形成した把持部材１２を使用し（図１２）、平らな下地面に内装材を突き合わせて施工するときは、目地溝２５を境にして左右対称に２条の突条畝１６・１６と基板１４・１４を形成した把持部材１２（図１３）を使用し、内装材１３を下地面１１に張設してから目地溝２５に目地材２６の楔４６を嵌め合わせる。弯曲した下地面には、横断方向に切り込み２３を突条畝１６に付けた把持部材１２（図１４と図１５）を使用し、出隅や入隅において弯曲した下地面に交わる下地面には、横断方向に切り込み２２を基板１４に付けた把持部材１２（図１６と図１７）を使用し、内装材１３を下地面１１に張設してから目地溝２５に目地材２６を嵌め合わせる。
【００３２】
内装材１３の端縁４５や化粧目地材２６の抜け外れを防ぐ上では、空洞内壁面２０を構成している止め板２９の表面、および、目地溝２５の壁面を構成している止め板２９や溝板２４の向き合う表面には、突条畝１６の空洞１５に突設した爪板１８・１９と同様の凹凸を付けておくとよい。本発明は、扉や襖等の建具にも適用することが出来る。その場合、建具の枠体３５の周縁に取り付けた把持部材１２にはコ字形溝３６を有する縁取材３７を被せ、枠体３５の周縁に現れる止め板２９を被覆する（図１８）。
【００３３】
【発明の効果】
本発明によると、把持部材１２が、プラスチック押出成形によって基板１４と内側に爪板１８・１９が突設され突条畝１６を一体化して可撓に構成され、平坦な施工面にも弯曲した施工面にも基板１４を当接して固定することが出来、その突条畝１６の縁板２８と爪板１８・１９で構成される差込溝１７と内溝２１に端縁４５を押し込んで、内装材１３を簡便に施工することが出来る。内装材１３は、そのように差込溝１７と内溝２１に端縁４５が押し込まれて係止されているだけなので、差込溝１７と内溝２１に針や釘等の突起物を差し込んで引っ張れば内装材１３を剥離することが出来、内装材を自由に張り直すことが出来、又、その張り替えも自由に出来、改装が容易で四季に応じた室内のデザインを楽しむことも可能になる。
【００３４】
突条畝１６に縁板２８と止め板２９に挟まれる差込溝１７を形成し、基板１４を上側基板３１と下側基板３２とによる折返可能な二重構造にし、基板、支板、縁板、止め板等の各部の厚みｔを１．０ｍｍ以下にして全体をプラスチック押出成形によって一体的に形成した把持部材１２（図５〜１７）では、上側基板１８と下側基板１９を折り返して重ね合わせるとき、縁板２８と第１爪板１８および第２爪板１９が止め板２９に擦れ合って密着し、差込溝１７と内溝２１を密封状態にすることが出来、突条畝１６の高さｈを４〜７ｍｍにしても、内装材１３の端縁を強く把持することが出来、空隙層３０の厚みＨも突条畝の高さｈに応じた４〜７ｍｍになるので、内装材１３も下地面１１から浮き上がって嵩張った印象を与えるようなこともなく、又、空隙層３０を設けた分だけ居住空間が狭められたかの如き圧迫感を受けることもなく、その空隙層に嵩高な填料３３を装填することによって、機能的にも優れた緞子張り内装施工が可能になる。
【００３５】
平行に基板１４に突設した突条畝１６と溝板２４に挟まれて差込溝１７に平行に続く目地溝２５を形成した把持部材１２と、その目地溝２５を境にして左右対称に２条の突条畝１６・１６と基板１４・１４を形成した把持部材１２を使用し、内装材１３を下地面１１に張設してから目地溝２５に化粧目地材２６を嵌め合わせ、その化粧目地材によって継目を被覆して装飾することが出来、その化粧目地材２６と内装材１２の間に段差が出来ず、内装材の端々の納まり具合いがよく、緞子張り内装施工面を綺麗に仕上げることが出来る。
【図面の簡単な説明】
【図１】本発明に係る緞子張り内装施工面の断面図である。
【図２】本発明に係る把持部材の断面斜視図である。
【図３】本発明に係る把持部材の断面斜視図である。
【図４】本発明に係る把持部材の断面斜視図である。
【図５】本発明に係る把持部材の断面斜視図である。
【図６】本発明に係る緞子張り内装施工面の断面図である。
【図７】本発明に係る緞子張り内装施工面の断面図である。
【図８】本発明に係る把持部材の断面斜視図である。
【図９】本発明に係る把持部材の断面斜視図である。
【図１０】本発明に係る把持部材の断面斜視図である。
【図１１】本発明に係る把持部材の断面斜視図である。
【図１２】本発明に係る把持部材の断面斜視図である。
【図１３】本発明に係る把持部材の断面斜視図である。
【図１４】本発明に係る把持部材の断面斜視図である。
【図１５】本発明に係る把持部材の断面斜視図である。
【図１６】本発明に係る把持部材の断面斜視図である。
【図１７】本発明に係る把持部材の断面斜視図である。
【図１８】本発明に係る緞子張り内装施工の施された建具の断面図である。
【符号の説明】
１１  下地面
１２  把持部材
１３  内装材
１４  基板
１５  空洞
１６  突条畝
１７  差込溝
１８  第１爪板
１９  第２爪板
２０  空洞内壁面
２１  内溝
２２・２３  切り込み
２４  溝板
２５  目地溝
２６  目地材
２７  支板
２８  縁板
２９  止め板
３０  空隙層
３１  上側基板
３２  下側基板
３３  填料（繊維ウエブ）
３４  スペーサー
３５  枠体
３６  コ字形溝
３７  縁取材
３８  押返板
３９  長尺楔
４０  突合部材（他の下地面・別の把持部材）
４１  溝
４２・４３・４４・４５  端縁
４６  楔
【図１】
0003831753.tif 000002
【図２】
0003831753.tif 000003
【図３】
0003831753.tif 000004
【図４】
0003831753.tif 000005
【図５】
0003831753.tif 000006
【図６】
0003831753.tif 000007
【図７】
0003831753.tif 000008
【図８】
0003831753.tif 000009
【図９】
0003831753.tif 000010
【図１０】
0003831753.tif 000011
【図１１】
0003831753.tif 000012
【図１２】
0003831753.tif 000013
【図１３】
0003831753.tif 000014
【図１４】
0003831753.tif 000015
【図１５】
0003831753.tif 000016
【図１６】
0003831753.tif 000017
【図１７】
0003831753.tif 000018
【図１８】
0003831753.tif 000019